(57)【特許請求の範囲】
【請求項１】
アッパー及びソール上にフォクシングテープを巻回したシューズであって、前記シューズの内側のボールポケット部において前記フォクシングテープが上端から下方に向かって狭幅となる切欠部を有し、そして前記切欠部と前記アッパー及び前記ソールとの間に柔軟性のパッチが固着されていることを特徴とする前記シューズ。
【請求項２】
さらに、前記フォクシングテープが前記シューズの外側のボールポケット部においても上端から下方に向かって狭幅となる切欠部を有し、そして前記切欠部と前記アッパー及び前記ソールとの間に柔軟性のパッチが固着されていることを特徴とする、請求項１に記載のシューズ。
【請求項３】
前記切欠部の形状が三角形である、請求項１又は２に記載のシューズ。
【請求項４】
前記切欠部の下方に向かって狭幅を形成する角度が４５〜９０度である、請求項１〜３のいずれかに記載のシューズ。
【請求項５】
前記切欠部の深さが、フォクシングテープの幅に対して５０〜１００％である、請求項１〜４のいずれかに記載のシューズ。
【請求項６】
前記パッチが、布、皮革、人造皮革、樹脂製フィルム、及び金属製フィルムからなる群から選ばれる少なくとも一種である、請求項１〜５のいずれかに記載のシューズ。
【請求項７】
前記パッチの一部が、前記切欠部及び前記アッパーに縫製及び／又は接着により固着されている、請求項１〜６のいずれかに記載のシューズ。
【請求項８】
前記パッチが防水性である、請求項１〜７のいずれかに記載のシューズ。
【請求項９】
運動靴又はスニーカーである、請求項１〜８のいずれかに記載のシューズ。
【発明の詳細な説明】
【技術分野】
【０００１】
本発明は、シューズに関し、より詳細には前屈時のシューズが屈曲することよって生じるフォクシングテープの不具合を防止可能なシューズに関する。
【背景技術】
【０００２】
運動靴やスニーカーは、シューズのソールとアッパーとを固定及び補強するために、フォクシングテープ（ｆｏｘｉｎｇ  ｔａｐｅ）がソールとアッパーとを跨いで一周するように接着されている。フォクシングテープは、通常、ゴムでできているため、ミッドソールとアウトソールとの間に雨水が浸入すること防ぐ機能も兼ねている。
【０００３】
足の骨は、図９に示すように、中足骨ａと基節骨ｂとの間がＭＰ関節Ｘで結合されている。足の骨は、このＭＰ関節を起点として、最大約９０度まで屈曲可能である。運動靴や作業靴を履いたヒトが、つま先を地面につけた状態で前に屈む姿勢や体勢を取ると、ＭＰ関節が靴内で接触するボールポケット部付近では靴のアッパー及びソールが湾曲する。同時に、シューズに巻回されたフォクシングテープもまた、皺状に歪む。特に、足の外側よりも内側のボールポケット部の歪みが大である。
【発明の開示】
【発明が解決しようとする課題】
【０００４】
陸上競技、遊戯、作業等において、前屈姿勢が頻繁に発生すると、フォクシングテープも頻繁に歪む。その結果、フォクシングテープ自体がひび割れ、あるいは、フォクシングテープがアッパーやソールから剥がれてしまうという劣化現象を引き起こす。
【０００５】
運動靴やスニーカーを更新する主な理由は、靴底の摩耗である。靴底の摩耗の問題は、靴底の更新により容易に解消される。一方、着用時の屈曲によりフォクシングテープがひび割れや破損を起こすと、消費者は、まだ履ける状態であっても劣化ととらえる。フォクシングテープのひび割れや剥がれといった劣化現象は、まだ履ける状態のシューズの廃棄につながり、環境上、好ましくない。
【０００６】
そこで、本発明の課題は、フォクシングテープのひび割れや剥がれといった劣化を防止することの可能なシューズを提供することにある。
【課題を解決するための手段】
【０００７】
本発明者等は、上記課題を鋭意検討した結果、以下の発明によれば上記課題を解決できることを見出し、本発明を完成させた。すなわち、本発明は、アッパー及びソール上にフォクシングテープを巻回したシューズであって、前記シューズの内側のボールポケット部において前記フォクシングテープが上端から下方に向かって狭幅となる切欠部を有することを特徴とする前記シューズを提供する。
【０００８】
前記シューズは、さらに、前記フォクシングテープは、前記シューズの外側のボールポケット部においても上端から下方に向かって狭幅となる切欠部を有することが好ましい。
【０００９】
前記切欠部の形状は、三角形であることが好ましい。
【００１０】
前記切欠部の下方に向かって狭幅を形成する角度は、４５〜９０度であることが好ましい。
【００１１】
前記切欠部の深さは、フォクシングテープの幅に対して、５０〜１００％であることが好ましい。
【００１２】
前記切欠部と前記アッパー及び前記ソールとの間に、柔軟性のパッチが固着されていることが好ましい。
【００１３】
前記パッチは、例えば布、皮革、人造皮革、樹脂製フィルム、及び金属製フィルムからなる群から選ばれる少なくとも一種である。
【００１４】
前記パッチの一部は、前記切欠部及び前記アッパーに縫製及び／又は接着により固着されていることが好ましい。
【００１５】
前記パッチは、防水性であることが好ましい。
【００１６】
前記シューズの種類は、例えば運動靴やスニーカーである。
【発明の効果】
【００１７】
本発明は、  アッパー及びソール上にフォクシングテープを巻回したシューズにおいて、フォクシングテープが、シューズの内側のボールポケット部を含む位置において、テープの上端から下方に向かって狭幅となる切欠部を有するので、従来、屈曲により生じていたフォクシングテープのひび割れやフォクシングテープの剥がれといった劣化現象が起こり難くなる。
【００１８】
さらに、前記切欠部と前記アッパー及び前記ソールとの間に柔軟性のパッチが固着されていると、露出したアッパー部を補強し、そしてアウトソールとミッドソールの間への水の浸入を防止することができる。
【図面の簡単な説明】
【００１９】
【図１】本発明の一実施態様に従うシューズの全体斜視図である。シューズ１００のボールポケット部１２４において、フォクシングテープ１３０が斜め三角形に切欠かれている。切欠部１３１と露出したアッパー部等との間には、補強及び防水用に皮革でできたパッチ１４０が縫い付けられている。
【図２】図２Ａは、図１の切欠部１３１の正面図であり、図２Ｂは、その断面図である。切欠きにより露出したアッパー領域では、切欠部１３１と、それに隣接するパッチ１４０とそれに隣接するアッパー１１０とを一体に縫製している。また、切欠きにより露出したソール領域では、切欠部１３１、それに隣接するパッチ１４０及びソール１２０を糊付けしている。
【図３】本発明のシューズを評価するために、シューズ（スニーカー）に巻回されたフォクシングテープ１３０に切欠部１３１を入れる試験工程を示す図（写真）である。図３Ａは、試験前のシューズサンプルの外観図である。図３Ｂは、シューズのボールポケット部１２４に設ける切欠部１３１の中央線を示す。図３Ｃでは、中央線の左右に１３ｍｍ、１６ｍｍ、２０ｍｍ及び２５ｍｍの目盛りを入れ、各目盛りから４５度の角度で斜線を引いている。これにより、深さ１３ｍｍ、１６ｍｍ、２０ｍｍ又は２５ｍｍの直角二等辺三角形の切欠部が設けられる。
【図４】図４Ａは、深さ１３ｍｍの直角二等辺三角形の切欠部１３１を設けたシューズ１００を屈曲させた状態の外観図（写真）であり、図４Ｂは、ボールポケット部の拡大図（写真）である。図４Ａから、フォクシングテープ１３０に掛かる負荷が一部吸収されていることがわかる。図４Ｂから、切欠部１３１下に残るフォクシングテープ１３０の位置（斜線で示す）が内外に若干広がっていることがわかる。
【図５】図５Ａ及び５Ｂは、深さ１６ｍｍの直角二等辺三角形の切欠部を設けたシューズを屈曲させた状態の外観図（写真）であり、図５Ｃは、ボールポケット部の拡大図（写真）である。図５Ａ及びＢから、フォクシングテープ１３０に掛かる負荷が一部吸収されていることがわかる。図５Ｃから、切欠部１３１下に残るフォクシングテープ１３０の位置（斜線）が内外に若干広がっていることがわかる。
【図６】図６Ａ〜６Ｄは、深さ２０ｍｍの直角二等辺三角形の切欠部を設けたシューズを屈曲させた状態の外観図（写真）である。９０度屈曲させても、切欠部１３１下に残るフォクシングテープ１３０は、内外に広がっていない。９０度以上屈曲させると、切欠部下端よりも後方のフォクシングテープ１３０が外側に若干広がる。
【図７】図７Ａ〜７Ｃは、深さ２５ｍｍの直角二等辺三角形の切欠部を設けたシューズを屈曲させた状態の外観図（写真）である。図７Ｄは、ボールポケット部１２４の拡大図（写真）である。フォクシングテープ１３０を全幅に渡って切欠いたことにより、○で囲った部分にアウトソール１２３が露出した状態を示す外観写真である。全幅に渡る切欠部１３１によって、フォクシングテープ１３０に掛かる負荷が完全に吸収されている。９０度以上屈曲させても、フォクシングテープ１３０は、内外に広がらない。
【図８】図８Ａは、角度９０度の三角形からなる切欠部１３１とその切欠部に革製のパッチ１４０を固着したシューズ（運動靴）の外観図（写真）である。この運動靴を実際に２週間着用して、随時、屈曲運動を行った。図８Ｂ〜Ｄは、それぞれ、使用開始１、７及び１４日目の切欠部１３１の拡大図（写真）である。図８Ｅは、使用開始１４日目のつま先部分の拡大図（写真）である。使用開始７日まで運動靴に何の変化も現れなかった。使用開始から１４日目のつま先部（図８Ｅ）には、足の末節骨と中節骨とのジョイント部に当たるＰＩＰ関節Ｙの屈曲に基づく折れ皺が出始めた。一方、１４日目のフォクシンテープ１３０には変化が見られなかった（図８Ｄ）。
【図９】左足の人骨図である。中足骨ａと基節骨ｂとのジョイントがＭＰ関節、そして、基節骨ｂと末節骨ｃとのジョイントがＰＩＰ関節である。また、ＭＰ関節Ｘがシューズのボールポケット部が当接する。
【発明を実施するための形態】
【００２０】
以下、本発明を添付の図面を用いて説明する。図１は、本発明の一実施態様に従うシューズ１００の全体斜視図である。運動靴、スニーカーや作業靴のような加硫ゴム等でできたシューズは、通常、シューズのアッパー１１０及びソール１２０の周縁にフォクシングテープ１３０が巻回され、接着剤で接着されている。フォクシングテープ１３０は、通常、一層であるが、強度を高めるために２層以上に積層されてもよい。フォクシングテープ１３０の幅は、通常、２５〜３０ｍｍである。
【００２１】
ソール１２０は、通常、インソール１２１、ミッドソール１２２及びアウトソール１２３の三層構造となっている（図２）。フォクシングテープ１３０が巻回されるソールの部分は、ミッドソール１２２、又はミッドソール１２２及びアウトソール１２３である。
【００２２】
シューズのボールポケット部１２４は、ヒトがシューズを履いた時に、基節骨ａと中足骨ｂとの結合部であるＭＰ関節Ｘ（ボールジョイントともいう）付近が靴内で接触する部分である（図９）。ボールポケット部は、足の内側（親指側）及び外側（小指側）に存在する。
【００２３】
フォクシングテープ１３０は、シューズの内側のボールポケット部１２４において、上端から下方に向かって狭幅となる切欠部１３１を有する。好ましくは、シューズの外側のボールポケット部においても、上端から下方に向かって狭幅となる切欠部を有する。
【００２４】
従来のシューズは、足前屈時のＭＰ関節Ｘの変形によって、ボールポケット上のフォクシングテープに皺が発生する。これがフォクシングテープの劣化につながる。本発明のシューズ１００では、足の内側、好ましくは内側と外側のボールポケット部１２４に巻かれるフォクシングテープ１３０部分が、それぞれ、切欠かれている。この切欠部１３１によって、シューズ１００を屈曲しても、ボールポケット部に皺が発生しない。したがって、従来、屈曲により生じていたフォクシングテープのひび割れやフォクシングテープとアッパー及び／又はソールとの接着剥がれという劣化現象が生じなくなる。
【００２５】
切欠部１３１は、テープの上端が解放し、テープの下方に向かって狭幅になっている限り、形状を問わない。切欠部１３１の形状の具体例は、３角形、５角形（例えばホームベース状）、７角形、Ｕ字状等である。切欠部の形状は、好ましくは３角形である。
【００２６】
切欠部の形状は、テープの下方先端部１３２を垂直に通る中心線に対して対称又は非対称のいずれでもよい。前記切欠部１３１の下方先端部１３２は、尖っていても、丸くなっていてもよい。シューズを屈曲した時に下方先端部１３２に最も負荷がかかるので、先端部１３２は好ましくは尖っている。
【００２７】
前記切欠部１３１の下方に向かって狭まる角度は、通常、３０〜１２０度でよい。角度が３０度よりも小さ過ぎると、屈曲によるフォクシングテープ１３０への負荷を吸収できない場合がある。ヒトが足を前屈させる角度は、地面に対して、最大９０度であり、これ以上の角度ではフォクシングテープの負荷の吸収が飽和する。よって、角度が１２０度より大きいと、フォクシングテープの補強効果を減殺することになる。また、アッパー及びソールの露出面積を増やして、雨水等が浸入する機会を増やしかねない。切欠部の角度は、好ましくは４５〜９０度であり、特に好ましくは９０度である。
【００２８】
前記切欠部１３１の上端からの深さ（切欠き度）は、フォクシングテープ１３０の幅に対して、通常、５０〜１００％でよく、好ましくは６０〜１００％であり、特に好ましくは８０〜１００％である。切欠き度が５０％より低く過ぎると、フォクシングテープ１３０に掛かる負荷が一部吸収されないことがある。その結果、切欠部の下に残るフォクシングテープ１３０が内外に突出する可能性がある。
【００２９】
フォクシングテープ１３０の切欠部１３１は、従来のシューズであれば隠れていたアッパー１１０を露出させる。アッパー１１０が薄い材質（例えば布）でできている場合、前屈時にアッパーの露出部分の強度が低下する。切欠部１３１の深さが約８０％を超えると、ソール１２０が露出するようになる。ソール１２０が露出すると、ミッドソール１２２とアウトソール１２３との間に雨水が浸入することが懸念される。
【００３０】
そこで、切欠部１３１とアッパー１１０及びソール１２０との間には、柔軟性のパッチ１４０が固着されていることが好ましい。これにより、露出したアッパー部の強度を回復させる。
【００３１】
柔軟性パッチ１４０が防水性であると、ミッドソール１２２とアウトソール１２３との間への雨水の浸入や、パッチからの水の浸透を防止できる。特に、布や皮革でできたパッチ１４０は、雨水に弱いので、防水加工が好ましい。防水加工方法は、採用する材質に周知の方法でよい。例えば、布や皮革には、シリコン樹脂やフッ素樹脂のような撥水性樹脂を塗布する。
【００３２】
パッチ１４０の形状は、特に限定されない。切欠部１３１とほぼ同形であることが好ましい。
【００３３】
柔軟性パッチ１４０の例には、帆布、フェルト、ナイロンのような布；皮革；人造皮革；ラバー、アクリル樹脂、ＰＥＴのような樹脂でできたフィルム；銅、アルミニウムのような展延性金属でできたフィルム（箔）からなる群から選ばれる少なくとも一種である。異種材料を二枚以上、積層してもよい。柔軟性パッチ１４０の厚みは、選択した材料に応じて、屈曲時に柔軟性が得られるように、適宜決められる。
【００３４】
柔軟性パッチ１４０を切欠部１３１及びアッパー１１０及びソール１２０に固着する方法は、特に制限がない。例えば、接着や縫製が挙げられる。図２の場合、切欠きによりアッパー１１０が露出する領域では、切欠部１３１とそれに隣接するパッチ１４０とそれに隣接するアッパー１１０とを一体に縫製している。また、切欠きによりソール１２０が露出する領域では、切欠部１３１、それに隣接する柔軟性パッチ１４０及びソール１２０を糊付けしている。図２では、意匠性向上のため、パッチ１４０上に飾りのステッチ１４２を描いている。
【００３５】
本発明のシューズ１００は、フォクシングテープを有する限り、種類を問わない。好ましくは前屈運動を行う機会の多い用途である。例えば、運動靴、前ゴム運動靴、スニーカー、キャンバスシューズ、スポーツ専用靴（バレーボール、テニス、バスケット等）、デッキシューズ、スリッポン、作業靴等が挙げられる。
【００３６】
本発明のシューズの製造方法は、フォクシングテープ１３０を切り欠くこと、及び適宜、切欠部１３１に柔軟性のパッチ１４０を付加すること以外は、通常の製靴方法と同様である。フォクシングテープ１３０の切り欠く位置、あるいは柔軟性パッチ１４０を貼付する位置と整合するアウトソール又はミッドソール部位に切込みを入れておくと、靴の生産効率を上げることができる。
【実施例】
【００３７】
以下に、実施例を示すことにより、本発明をより詳細に説明する。しかし、本発明は、以下の実施例に限定されるものではない。
〔実施例１〕フォクシングテープの切欠き試験（Ｉ）
スニーカー１００（製品名  Ｓａｍｕｅ×ＵＡ、サイズ２５ｃｍ）のボールジョイント部１２４に位置するフォクシングテープ１３０（幅２５ｍｍ）に、角度９０度の切欠部１３１を設けた（図３）。切欠部１３１の深さは、テープ上端から１３ｍｍ（フォクシングテープ幅の５２％）、１６ｍｍ（同６４％）、２０ｍｍ（同８０％）、又は２５ｍｍ（同１００％）であった。
【００３８】
図４のように、深さ１３ｍｍの切込み（切欠き度５２％）を入れた場合、フォクシングテープに掛かる負荷が一部吸収されている（図４Ａ）。切欠部下端よりも前方のフォクシングテープ１３０が外側に突出し、切欠部下端よりも後方のフォクシングテープ１３０が内側に入り込む状態で、切欠部１３１下に残るフォクシングテープが内外に若干広がっている（図４Ｂ）。
【００３９】
図５のように、深さ１６ｍｍの切込み（切欠き度６４％）を入れた場合、１３ｍｍの場合と同様に、フォクシングテープに掛かる負荷が一部吸収されている（図５Ａ及びＢ）。切欠部下端よりも前方のフォクシングテープが外側に突出し、切欠部下端よりも後方のフォクシングテープが内側に入り込む状態で、切欠部１３１下に残るフォクシングテープが内外に若干広がっている（図５Ｃ）。
【００４０】
図６のように、深さ２０ｍｍの切込み（切欠き度８０％）を入れた場合、９０度屈曲させても、切欠部の下に残るフォクシングテープは、内外に広がっていない（図６Ａ〜Ｄ）。９０度以上屈曲させると、切欠部下端よりも後方のフォクシングテープが外側に広がる。ＭＰ関節の最大屈曲角度は９０度であるため、幅に対して８０％の切欠きによって、十分な負荷が吸収されているといえる。
【００４１】
図７のように、深さ２５ｍｍの切込み（切欠き度１００％）を入れた場合、フォクシングテープに掛かる負荷が吸収されている。９０度よりも過度に屈曲させても、切欠部の下に残るフォクシングテープは内外に広がっていない（図７Ａ〜Ｃ）。図７からフォクシングテープの全幅に渡って切込みを入れると、切込みによる負荷の吸収が最大限発揮されることがわかる。ただし、フォクシングテープを全幅にわたって切り欠くと、アウトソールとミッドソールとの境界が露出する（図７Ｄ）。この境界が露出すると、降雨時、アウトソールとミッドソールとの隙間に雨水が浸入する恐れが出てくる。
【００４２】
〔実施例２〕フォクシングテープの切欠き試験（ＩＩ）
スニーカー（製品名ワトフォード、サイズ２６．０ｃｍ）のボールジョイント部に位置するフォクシングテープ（幅２５ｍｍ）に、角度９０度の切欠部を設けた（図８Ａ）。切欠部の深さは、上端から２５ｍｍ（切欠き度１００％）であった。フォクシングテープ部の切欠部とアッパー及びソールとの間に皮革を固着した（図８Ａ）。固着は、フォクシングテープ部の切欠部とアッパーとの接合面は裁縫により、そしてフォクシングテープ部の切欠部とソールとの接合面は接着剤により行った。
【００４３】
使用から１日後、フォクシングテープ１３０の切欠部１３１に変化は見られなかった（図８Ｂ）。  使用から１週間後であっても、フォクシングテープ１３０の切欠部１３１に変化は見られなかった（図８Ｃ）。使用から２週間後には、つま先部分に、足の末節骨ｃと基節骨ｂとのジョイント部に当たるＰＩＰ関節Ｙ（図９）の屈曲に基づく折れ皺が出始めた（図８Ｅ）。一方、フォクシングテープ１３０の切欠部１３１には、何らの変化も見られなかった（図８Ｄ）。この実験結果から、本発明のシューズは、長期使用に充分耐えられることがわかった。さらに、アウトソールとミッドソールとの間へ雨水が浸入することもなく、アウトソールの露出に対してフォクシングテープ部の切欠部とソールとの間に柔軟性パッチを介在させることが有効であることも判明した。
【符号の説明】
【００４４】
１００  シューズ
１１０  アッパー
１２０  ソール
１２１  インソール
１２２  ミッドソール
１２３  アウトソール
１２４  ボールポケット部
１３０  フォクシングテープ
１３１  切欠部
１３２  下方先端部
１４０  パッチ
１４１  ステッチ
１４２  飾りのステッチ
ａ  中足骨
ｂ  基節骨
ｃ  末節骨
Ｘ  ＭＰ関節
Ｙ  ＰＩＰ関節
【図１】
0006328155.tif 000002
【図２】
0006328155.tif 000003
【図３】
0006328155.tif 000004
【図４】
0006328155.tif 000005
【図５】
0006328155.tif 000006
【図６】
0006328155.tif 000007
【図７】
0006328155.tif 000008
【図８】
0006328155.tif 000009
【図９】
0006328155.tif 000010